(57)【要約】【課題】本発明は、ジャム処理、定着ユニットの交換における操作性がよく、コストを抑えた画像形成装置を提供することを目的とする。【解決手段】本発明に係る画像形成装置の代表的な構成は、ドア２７Ｆとドア２７Ｒを開閉可能に有する画像形成装置本体と、定着フィルム１６及び加圧ローラ１３を当接離間する当接離間機構（加圧板金１８、加圧バネ１９、カム２０、レバー２３）を有する定着ユニットと、を有し、  定着ユニットを画像形成装置本体に着脱可能な画像形成装置において、画像形成装置本体は、ドア２７Ｆとドア２７Ｒの開閉と当接離間機構の動作を連動させるリンク機構２９を有し、定着ユニットは、定着ユニットを着脱する際に、当接離間機構とリンク機構２９を連結、脱離可能な連結脱離手段（連結手段２５とレバー２３）を有することを特徴とする。【選択図】図６
2010243851.tif 000002
【特許請求の範囲】
【請求項１】
画像形成装置本体と、前記画像形成装置本体に開閉可能に設けられている第１の開閉部材と、前記画像形成装置本体に開閉可能に設けられている第２の開閉部材と、記録材に形成されたトナー像を記録材に加熱定着する定着ニップ部を有する定着ユニットと、を有し、操作者によって前記第１の開閉部材と前記第２の開閉部材の少なくとも一方が開かれると、その操作力が前記定着ニップ部に圧力を掛けている圧力付与機構に作用して前記定着ニップ部に掛っている圧力が解除される構造となっている画像形成装置において、
前記定着ユニットは前記画像形成装置本体に対して着脱可能となっており、前記圧力付与機構に接触しており且つ前記第１の開閉部材を開く時の操作力が伝わり前記圧力付与機構を動かす切換部材を有し、前記第２の開閉部材を開く時の操作力も前記第１の開閉部材を開く時の操作力が伝わる前記切換部材に伝わる構造となっていることを特徴とする画像形成装置。
【請求項２】
前記切換部材は前記定着ユニットと一体となって前記画像形成装置本体に対して着脱可能となっており、前記第１の開閉部材を開く時の操作力と前記第２の開閉部材を開く時の操作力は、共に前記切換部材よりも操作力伝達方向上流側で且つ前記画像形成装置本体側に設けられている連結部材に伝わり、前記連結部材から前記切換部材に伝わる構造となっていることを特徴とする請求項１に記載の画像形成装置。
【請求項３】
前記第１の開閉部材と前記第２の開閉部材の少なくとも一方を開いた状態における前記連結部材の姿勢は、前記切換部材が前記圧力付与機構に作用して圧力解除状態となる姿勢であり且つ前記定着ユニットを前記画像形成装置本体に対して着脱できる姿勢であることを特徴とする請求項２に記載の画像形成装置。
【請求項４】
前記第１の開閉部材を操作する操作力が伝わり移動する第１リンクと、前記第２の開閉部材を操作する操作力が伝わり移動する第２リンクと、前記第１リンクと前記第２リンクを移動可能に保持するリンクガイドと、を有するリンク機構を有し、前記リンクガイドを底辺とする前記第１リンクと前記第２リンクと前記リンクガイドにより形成される三角形の高さが、前記第１の開閉部材と前記第２の開閉部材の開閉状態に応じて変わることにより前記切換部材の位置が変化することを特徴とする請求項１から３のいずれか一つに記載の画像形成装置。
【請求項５】
前記第１の開閉部材は記録材にトナー像を形成するためのカートリッジを前記画像形成装置本体に対して着脱するための開閉部材であることを特徴とする請求項１から４のいずれか一つに記載の画像形成装置。
【請求項６】
前記第２の開閉部材は前記定着ニップ部に掛る圧力を解除するため専用の開閉部材であることを特徴とする請求項５に記載の画像形成装置。
【請求項７】
前記第２の開閉部材は前記定着ユニットを前記画像形成装置本体に対して着脱するための開閉部材であることを特徴とする請求項５に記載の画像形成装置。
【発明の詳細な説明】
【技術分野】
【０００１】
本発明は、定着ユニットの圧解除機構を有する画像形成装置に関するものである。
【背景技術】
【０００２】
画像形成装置内に搭載されている定着ユニット付近で記録材のジャミングが発生した場合に備えて、定着ニップ部に掛かる圧力を解除する構造を持たせ、記録材を取り除き易くした画像形成装置が存在する。定着ユニット付近でジャミングした記録材を取り除く方法として、定着ユニットよりも記録材移動方向下流側のドア（リアドア）を開いて記録材を取り除く方法がある。画像形成装置のコストを抑えるため、定着ニップ部の圧解除を行う動力源を備えていない装置の場合、操作者がリアドアを開放する際の操作力を利用して定着ニップ部に掛かっている圧力を解除し、操作者に掛かる手間を少なくした装置も存在する。
【０００３】
ところで、消耗品であるプロセスカートリッジが交換可能となっている画像形成装置の場合、次に説明するようなケースがある。カートリッジを交換するためのドアを開き、カートリッジを装置本体から取り除くと、カートリッジ交換ドアの開口を通して定着ニップ部付近にジャミングした記録材が見えるというケースである。この場合、記録材が見えているので、操作者はカートリッジ交換ドアの開口から手を入れてジャミングした記録材を取り除こうとすることも考えられる。しかしながら、定着ニップ部には大きな圧力が掛かったままなので、記録材を取り除くのは容易ではない。
【０００４】
そこで、リアドアだけでなく、カートリッジ交換ドアを開放する場合も定着ニップ部に掛かる圧力を解除できる構造とすることで、コストを抑えつつユーザビリティを向上させた画像形成装置が特許文献１に開示されている。
【先行技術文献】
【特許文献】
【０００５】
【特許文献１】特開２００７−２９８６９１号公報
【発明の概要】
【発明が解決しようとする課題】
【０００６】
特許文献１に開示されているような、二つのドアのどちらを開放しても定着ニップ部の圧力を解除できる画像形成装置の場合、定着ニップ部に圧力を掛ける圧力付与機構と、この機構に作用する圧解除部材との作用点が二箇所存在する。定着ユニットの修理や交換を考慮して定着ユニットを画像形成装置本体に対して着脱できる構成において、作用点の数が多い構成は、定着ユニットの出し入れをスムーズに行う観点において不利である。
【課題を解決するための手段】
【０００７】
上述の課題を解決するための本発明は、画像形成装置本体と、前記画像形成装置本体に開閉可能に設けられている第１の開閉部材と、前記画像形成装置本体に開閉可能に設けられている第２の開閉部材と、記録材に形成されたトナー像を記録材に加熱定着する定着ニップ部を有する定着ユニットと、を有し、操作者によって前記第１の開閉部材と前記第２の開閉部材の少なくとも一方が開かれると、その操作力が前記定着ニップ部に圧力を掛けている圧力付与機構に作用して前記定着ニップ部に掛っている圧力が解除される構造となっている画像形成装置において、前記定着ユニットは前記画像形成装置本体に対して着脱可能となっており、前記圧力付与機構に接触しており且つ前記第１の開閉部材を開く時の操作力が伝わり前記圧力付与機構を動かす切換部材を有し、前記第２の開閉部材を開く時の操作力も前記第１の開閉部材を開く時の操作力が伝わる前記切換部材に伝わる構造となっていることを特徴とする。
【発明の効果】
【０００８】
本発明によれば、ジャム処理、定着ユニットの交換における操作性がよく、コストを抑えた画像形成装置を提供することができる。
【図面の簡単な説明】
【０００９】
【図１】第一実施形態に係る画像形成装置の構成図である。
【図２】第一実施形態に係る定着ユニットの斜視図である。
【図３】第一実施形態に係る加熱ユニットの斜視図である。
【図４】（ａ）加圧状態（ドアを閉めた状態）における第一実施形態に係る定着ユニットの側面図である。（ｂ）加圧解除状態における第一実施形態に係る定着ユニットの側面図である。
【図５】（ａ）ドアを閉めた状態における第一実施形態に係るリンク機構の斜視図である。（ｂ）ドアを開いた状態における第一実施形態に係るリンク機構の斜視図である。
【図６】（ａ）加圧状態（第１及び第２のドアを閉じた状態）における第一実施形態に係るリンク機構の斜視図である。（ｂ）加圧解除状態（第１のドアを開いた状態）における第一実施形態に係るリンク機構の斜視図である。
【図７】加圧状態（第１及び第２のドアを閉じた状態）における第一実施形態に係る連結手段と付勢解除手段の係合部の斜視図である。
【図８】加圧状態（第１及び第２のドアを閉じた状態）における第一実施形態に係るリンク機構の正面図である。
【図９】加圧解除状態（第１のドアを開いた状態）における第一実施形態に係るリンク機構の正面図である。
【図１０】加圧解除状態（第２のドアを開いた状態）における第一実施形態に係るリンク機構の正面図である。
【図１１】加圧解除状態（第１及び第２のドアを開いた状態）における第一実施形態に係るリンク機構の正面図である。
【図１２】第二実施形態に係る定着ユニットの斜視図である。
【図１３】加圧状態における第二実施形態に係る定着ユニットの側面図である。
【図１４】加圧解除状態における第二実施形態に係る定着ユニットの側面図である。
【図１５】（ａ）加圧状態における第二実施形態に係る定着ユニットの側面図である。（ｂ）加圧解除状態における第二実施形態に係る定着ユニットの側面図である。
【図１６】第二実施形態に係る連結手段と付勢解除手段の係合部の斜視図である。
【図１７】加圧状態（第１及び第２のドアを閉じた状態）における第三実施形態に係るリンク機構の正面図である。
【図１８】（ａ）加圧解除状態（第１のドアを開いた状態）における第三実施形態に係る連結手段の正面図である。（ｂ）加圧解除状態（第１及び第２のドアを開いた状態）における第三実施形態に係る連結手段の正面図である。
【発明を実施するための形態】
【００１０】
［第一実施形態］
本発明に係る画像形成装置の第一実施形態について、図を用いて説明する。
【００１１】
（画像形成装置）
図１は本実施形態に係る画像形成装置の構成図である。図１に示すように、画像形成装置本体１は、画像形成部１Ａ、シート収納カセット６、搬送ローラ７、レジストローラ７Ａ、定着装置（定着ユニット）８、排出ローラ９、排出部１０、カートリッジドア（第１の開閉部材、第１のドア）２７Ｆ、ジャム処理ドア（第２の開閉部材、第２のドア）２７Ｒを有している。画像形成部１Ａは、感光体ドラム２、転写ローラ３、レーザースキャナ４、トナーカートリッジ５を有している。本実施例のジャム処理ドア２７Ｒは定着ユニット８を装置本体に着脱するためのドアでもある。
【００１２】
画像形成動作が開始されると、まずレーザースキャナ４により画像信号に応じた光が感光体ドラム２に照射され、感光体ドラム上に潜像が形成される。この潜像をトナーカートリッジ５に収納されたトナーで現像することにより、感光体ドラム上にトナー像（可視像）が形成される。
【００１３】
一方、シート収納カセット６から給送されたシート（記録材）Ｓは、搬送ローラ７及びレジストローラ７Ａによって、感光体ドラム２と転写ローラ３とにより構成される転写部に搬送され、トナー像を転写される。
【００１４】
トナー像が転写されたシートＳは、定着装置８へ搬送され、トナー像を定着され、排出ローラ９によって装置上部の排出部１０へ排出される。
【００１５】
なお、装置前面のドア２７Ｆ、装置背面のドア２７Ｒは、装置本体１の前方、後方へ開閉可能なドアとしたが、装置本体１の左方向、右方向へ開閉可能なドアとしてもよい。
【００１６】
（定着ユニット）
図２は本実施形態に係る定着ユニットの斜視図である。図２に示すように、定着装置８は、装置本体に対して着脱可能なユニットであり、修理等の際に装置本体に対して着脱される。定着装置８は、加圧ローラ（加圧部材）１３、加熱ユニット１４を有している。定着装置８は、枠体を構成する定着左側板１１と定着右側板１２により加圧ローラ１３を保持している。
【００１７】
図３に示すように、加熱ユニット１４は、加熱ヒータ１５、定着フィルム１６、フィルムガイド１７を有している。加熱ヒータ１５は、定着フィルム１６を加熱する。定着フィルム１６は、加熱ヒータ１５の周囲を回転する円筒形状のフィルムである。フィルムガイド１７は、加熱ヒータ１５を保持し、定着フィルム１６をガイドする。
【００１８】
加圧ローラ１３は、ユニット１４と定着ニップ部を形成する。画像の転写されたシートＳがニップを通過することにより、熱および圧力を加えて、トナー像を加熱定着する。
【００１９】
図４に示すように、定着装置８は、圧力付与機構を構成する加圧板金１８、加圧バネ（付勢手段）１９、及び圧力付与機構に接触するカム（切換部材）２０、レバー２３を有している。
【００２０】
加熱ユニット１４は、加圧板金１８を介して加圧バネ１９により加圧ローラ１３に対して付勢されている。なお、加圧バネ１９は、加熱ユニット１４及び加圧バネ１９の一方を他方に付勢すればよく、加圧ローラ１３を加熱ユニット１４に付勢する構成であってもよい。
【００２１】
カム２０は、加熱ユニット１４の左右に設けられており、カム軸２１を中心として、加圧バネ１９の付勢力が働く第一の位置（図４（ａ）に示す加圧状態の位置）と、加圧バネ１９の付勢を解除する第二の位置（図４（ｂ）に示す加圧解除状態の位置）と、に回動する。カム２０は、第二の位置において、加圧板金１８をリフトアップする。
【００２２】
加圧板金１８は支点２２を中心に回動可能であり、カム２０によりリフトアップされると、加圧バネ１９により付勢されてユニット１４を加圧している中央部が持ち上がり、定着ニップ部の加圧解除が行われる。
【００２３】
レバー２３はカム２０と一体に形成されており、レバー２３が押し下げられ、または押し上げられることにより、カム２０はリフトアップ位置（第二の位置）またはリフトダウン位置（第一の位置）へ回動する。
【００２４】
（連結手段（連結部材）２５、リンク機構２９）
図５（ａ）はドア２７Ｆ、２７Ｒを閉めた状態におけるリンク機構２９の斜視図である。図５（ｂ）はドア２７Ｆ、２７Ｒを開いた状態におけるリンク機構２９の斜視図である。図６（ａ）は加圧状態（ドア２７Ｆ、２７Ｒを閉じた状態）におけるリンク機構２９の斜視図である。図６（ｂ）は加圧解除状態（ドア２７Ｆを開いた状態）におけるリンク機構２９の斜視図である。
【００２５】
図５、図６に示すように、画像形成装置本体１は、連結手段２５、リンク機構２９を有している。連結手段２５、リンク機構２９は、装置本体１の左側板２４に沿って配置されている。
【００２６】
リンク機構２９は、カートリッジドアアーム（第１リンク）３０Ｆ、ジャム処理ドアアーム（第２リンク）３０Ｒ、リンク（第１リンク部材）３２Ｆ、リンク（第２リンク部材）３２Ｒ、リンクガイド（ガイド部材）３４を有している。
【００２７】
アーム３０Ｆは、一端がドア２７Ｆと連結しており、他端が軸３６Ｆでリンク３２Ｆと連結している。アーム３０Ｒは、一端がドア２７Ｒと連結しており、他端が軸３６Ｒ（図７参照）でリンク３２Ｒと連結している。なお、図７は図６に示すリンク機構を裏側から見た図面である。
【００２８】
リンクガイド３４は装置本体のフレームに対して移動しないように固定された部材であり、長手方向に２つのガイド孔３４Ｆａ、ガイド孔３４Ｒａを有している。ガイド孔３４Ｆａは、長手方向に長い長丸に穿孔されており、リンク３２Ｆ（軸３６Ｆ）のスライド動作をガイドする。ガイド孔３４Ｒａは、長手方向に長い長丸に穿孔されており、リンク３２Ｒ（軸３６Ｒ）のスライド動作をガイドする。
【００２９】
リンクガイド３４はリンク３２Ｆ、３２Ｒを移動可能に保持する。リンク３２Ｆ、３２Ｒは、リンクガイド３４を底辺とした三角形の二辺を形成するように軸３５でお互いに対して回動自在に連結されている。リンク３２Ｆ、３２Ｒは、ドア２７Ｆ、２７Ｒの開閉状態に応じて、リンクガイド３４上をスライドすることで三角形の高さを変動させ、支点２６周りに連結手段２５を回動させる。連結手段２５は、カム２０よりも操作力伝達方向上流側で且つ画像形成装置本体側に設けられている。連結手段２５は、リンク機構２９を介して、ドア２７Ｆ、２７Ｒと連結されている。リンク機構２９は、ドア２７Ｆ、２７Ｒの開閉動作に連動して動く。
【００３０】
図７に示すように、連結手段２５は、コの字形状部（係合部）２５ａを有している。また、レバー２３は、カム軸２１と反対側の端部に、凸状の係合部２３ａを有している。定着ユニット８を装置本体１へ装着する際に、定着ユニット側の係合部２３ａが、装置本体側に設けられた連結手段２５のコの字形状部２５ａに挿入されることで、レバー２３と連結手段２５が係合する。
【００３１】
連結手段２５がレバー２３と係合した状態で操作者がドア２７Ｆを開くと、カートリッジドアアーム３０Ｆが図５の右方向（図６の右方向）へ移動する。アーム３０Ｆが右方向へ移動すると、リンク３２Ｆの軸３６Ｆがリンクガイド３４のガイド孔３４Ｆａ内を右方向へ移動する。すると、リンク３２Ｆ、リンク３２Ｒ、及びリンクガイド３４で形成するリンクガイド３４を底辺とする三角形の高さが高くなるので、連結手段２５の姿勢は、図６（ａ）の加圧状態から図６（ｂ）の加圧解除状態に回動してレバー２３を押し下げる。ドア２７Ｆが閉じており、ドア２７Ｒのみが開いた場合にも同様に、連結手段２５は、レバー２３を押し下げる。
【００３２】
また、コの字形状部２５ａは、定着装置８の着脱を行う際は、コの字形状の開口側が定着装置８の着脱方向を向いている（コの字形状部２５ａの長手方向と定着装置８の着脱方向が一致している）。この時、カム２０、レバー２３の位相は加圧解除状態（即ち図６（ｂ）の状態）となっている。
【００３３】
一方、カム２０が加圧状態の位相にある場合（即ち図６（ａ）の状態）は、コの字形状部２５ａの開口部が定着装置８の着脱方向と異なる方向を向いており、定着装置８の着脱を不可能にしている。
【００３４】
このように、加圧解除状態でしか定着装置８の交換ができないようにすることで、連結手段２５とレバー２３の位相がずれている場合は、係合できず、定着装置８を装置本体１に対して組み込むことができない。これにより、定着装置８のカム２０とドア２７Ｆおよびドア２７Ｒの位相がずれた状態で定着装置８を装置本体１に対して組み込めないようにしている。また、定着装置を装置本体から取り出す時には必ず圧解除状態となるので、定着装置を取り出したまま放っておいても、定着ニップ部を形成する加圧ローラや定着フィルムの変形を抑えることができる。
【００３５】
（切換部材２０、連結手段２５、リンク機構２９の動作）
図８〜図１１はリンク機構の正面図である。
【００３６】
図８に示す加圧状態（第１及び第２のドアを閉じた状態）から、操作者がドア２７Ｆをけると、図９に示すように、その動きに連動して（ドアを操作する操作力が伝わって）リンク３２Ｆがガイド孔３４Ｆａをスライドする。これにより、リンク３２Ｆとリンク３２Ｒとリンクガイド３４の間で形成するリンクガイド３４を底辺とする三角形状の高さ（軸３５の位置）が高くなり、連結手段２５が押し下げられる。
【００３７】
連結手段２５が、支点２６を中心に既定位置まで回動すると、レバー２３、カム２０もカム軸２１を中心に所定位相まで回動し、カム２０の円弧形状部で加圧板金１８を支える状態となる。カム２０の円弧形状部で加圧板金１８からの圧力を受けることで、加圧バネ１９により作用する力はカム２０と加圧板金１８だけが受け、加圧解除状態においてもリンク機構２９へは負荷はかからない。
【００３８】
図９の状態からドア２７Ｆが閉じられると、リンク３２Ｆはドア２７Ｆを開けた時とは逆方向にスライドし、連結手段２５は持上げられ、再び加圧状態（図８の状態）に戻る。
【００３９】
背面のドア２７Ｒを開けたときの動作も同様に（但し、リンク３２Ｆは移動せず、リンク３２Ｒがガイド孔３４Ｒａ内をスライドする）、図８の加圧状態から図１０の加圧解除状態になる。
【００４０】
ドア２７Ｆ、２７Ｒの両方が開かれた場合、図１１に示すように、リンク３２Ｆ、３２Ｒの両方がスライドし、いずれかのドアのみが開かれた場合に対して、連結手段２５はさらに押し下げられる。この時、カム２０は図９、図１０の状態よりもさらに回動するが、カム２０は加圧板金１８に対してカム形状の円弧形状部で接しながら回転しているため、加圧板金１８のリフト量には変化はない。
【００４１】
両側のドアが開かれた状態から、いずれかのドアが閉じられた場合、閉じられたドアに連動して動くリンクがスライドし、図９または図１０の状態となる。そして、もう一方のドアが閉じられると他方のリンクもスライドし、図８の状態へと戻る。
【００４２】
上記構成より、ドア２７Ｆ、２７Ｒを開けることで、リンク機構２９が動作して、カム２０が定着ニップ部の加圧力を解除することができ、ジャム処理等を簡単に行うことができる。連結手段２５によりカム２０とリンク機構２９を容易に係合、脱離でき、定着装置８の交換性も損なわない。さらに、センサーやモータを必要とせず、コストを抑えることができる。
【００４３】
［第二実施形態］
次に本発明に係る画像形成装置の第二実施形態について図１２〜図１６を用いて説明する。上記第一実施形態と説明の重複する部分については、同一の符号を付して説明を省略する。
【００４４】
第一実施形態では、リンク機構２９と連結手段２５の係合部分がスライド構造であったのに対して、本実施形態では、両者の係合部分がギア構造である点が異なる。二つのドアの開閉動作に応じたリンク機構の動作は第一実施形態と同様である。なお、本実施例では、リアドア２７Ｒはジャム処理専用のドアであり、定着ユニットは装置本体外装カバーを取り外して装置本体に対して着脱する。定着ユニットを着脱する際の定着ニップ部には圧力が掛った状態である。
【００４５】
図１２は定着装置８の斜視図である。図１３は加圧状態における定着装置８の側面図である。図１４は加圧力解除の状態における定着装置８の側面図である。
【００４６】
加圧板金１８は、支点２２周りに回動可能であり、図１３の加圧状態からカム５０により先端部がリフトアップされると、加熱ユニット１４を加圧している部分が持ち上がり、定着ニップ部の圧解除が行われ、図１４の加圧解除状態となる。また、カム５０は長方形の凸形状のキー部５０ａを有し、キー部５０ａに対して外部から（連結手段から）回転駆動力が伝達されることで、カム５０はカム軸２１周りに回転し、加圧板金１８のリフトアップおよびリフトダウンを行う。
【００４７】
図１５（ａ）は、ドア２７Ｆとドア２７Ｒが両方とも閉じており、且つ定着ニップ部が加圧状態となっている場合を示している。図１５（ｂ）は、ドア２７Ｆとドア２７Ｒの少なくとも一方が開いており、且つ定着ニップ部が加圧解除状態となっている場合を示している。図１５に示すように、定着ユニットに設けられたカム５０への回転駆動伝達は、画像形成装置本体側に設けられたカップリングギア（連結手段）４０が行っている。カップリングギア４０は、装置本体１の左側板２４にカシメられたギア軸４１周りに回転し、定着装置８を画像形成装置本体に装着した状態におけるカム５０と同軸上に配置されている。そして、図１６に示すように、カム５０のキー部（係合部）５０ａがカップリングギア４０のコの字形状部（係合部）４０ａに対して連結することで、カム５０に対してドアを操作する操作力が伝わる。
【００４８】
図１５に示すように、リンク機構２９とカップリングギア４０間には、両者間で操作力を伝える扇ギア４２が設けられている。扇ギア４２は、一端にギア４２ｂを有し、中央に設けられた回動軸４２ａを中心に回動可能である。ギア４２ｂはカップリングギア４０と噛み合う。扇ギア４２は、他端で軸３５に回動可能に軸支されている。
【００４９】
上記第一実施形態と同様に、ドア２７Ｆとドア２７Ｒの少なくとも一方が開放されると、その動作に連動してリンク機構２９が動作し、図１５（ａ）の加圧状態から図１５（ｂ）の圧力解除状態となる。すなわち、ドア２７Ｆとドア２７Ｒの少なくとも一方が開放されるとリンク３２Ｆとリンク３２Ｒとの間で形成するリンクガイド３４を底辺とする三角形の高さが高くなり、扇ギア４２の他端が押し上げられ、扇ギア４２のギア４２ｂが図１５（ｂ）の矢印方向へ回動する。これにより、カップリングギア４０が図１５（ｂ）の矢印方向へ回動し定着ニップ部の圧力が解除される。なお、リンクガイド３４は第一実施形態同様、画像形成装置本体のフレームに固定されて動かない部材である。
上述したように、本実施例では、画像形成装置本体の外装カバーを取り外して定着装置８を着脱する。図１６に示すように、定着装置８を修理や交換などの理由により装置本体１から取り外す場合は、図１６に示す矢印方向とは逆の方向へキー部５０ａが移動し、キー部５０ａがコの字形状部４０ａから外れる。定着装置８を装置本体１に装着する場合は、キー部５０ａがコの字形状部４０ａに嵌まる。
【００５０】
また、コの字形状部４０ａは、定着装置８の着脱を行う際は、コの字形状の開口側が定着装置８の着脱方向を向いている（コの字形状部４０ａの長手方向と定着装置８の着脱方向が一致している）。この時、カム５０の位相は加圧状態となっている。
【００５１】
一方、カム５０が加圧解除状態の位相にある場合は、コの字形状部４０ａの開口部が定着装置８の着脱方向と異なる方向を向いており、定着装置８の着脱を不可能にしている。
【００５２】
このように、加圧状態でしか定着装置８の交換ができないようにすることで、装置本体１より取り出した定着装置８を加圧状態に保つ。そして、修理、交換等のために使用されるサービスパーツの定着装置８も加圧状態で保管し、カム５０に対して長期間にわたり力が作用し、クリープなどの変形を起こすことを抑制する。
【００５３】
なお、加圧状態において、ドア２７Ｆ、ドア２７Ｒは閉じた状態であるが、定着装置８の着脱は、外装をはずして行うため、ドアの開閉状況は関係ない。
【００５４】
扇ギア４２のピッチ円をカップリングギア４０のピッチ円に対して大きく構成した。これにより、リンク機構２９および扇ギア４２の小さい動き（回転角）で、カップリングギア４０およびカム５０の回転角を大きく取ることができ、加圧板金１８を緩やかにリフトアップする滑らかなカム曲面を形成することができる。これにより、加圧板金１８をリフトアップする時にカム５０に作用する力を軽減することができ、ドア２７Ｆおよびドア２７Ｒの開閉耐久に対して有利となる。
【００５５】
［第三実施形態］
次に本発明に係る画像形成装置の第三実施形態について図を用いて説明する。上記第一及び第二実施形態と説明の重複する部分については、同一の符号を付して説明を省略する。図１７は加圧状態（第１及び第２のドア２７Ｆ、２７Ｒを閉じた状態）における第三実施形態に係る連結手段６０の正面図である。
【００５６】
図１７に示すように、本実施形態の画像形成装置は、上記第二実施形態の画像形成装置において、ギア軸４１、扇ギア４２、リンク３２Ｆ、３２Ｒ、リンクガイド３４に変えて、連結手段６０、戻しバネ４５を設けたものである。
【００５７】
連結手段６０は、中央にコの字形状部（係合部）６０ａを有し、一端に凸部６０Ｆを有し、他端に凸部６０Ｒを有している。連結手段６０は、コの字形状部６０ａの反対側の面の中央に設けられた回動軸６０ｂを中心に回動可能となっている。
【００５８】
コの字形状部６０ａは、キー部５０ａと係合、脱離可能であり、上記第二実施形態と同様に定着装置８を装置本体１に対して着脱可能にしている。
【００５９】
凸部６０Ｆは、アーム３０Ｆの端部に穿孔された長丸のガイド孔３０Ｆａ内をスライド可能である。凸部６０Ｒは、アーム３０Ｒの端部に穿孔された長丸のガイド孔３０Ｒａ内をスライド可能である。
【００６０】
戻しバネ４５は、凸部６０Ｆの近傍と装置本体１の間に設けられている。
【００６１】
図１８（ａ）は加圧解除状態（第１のドア２７Ｆを開いた状態）における連結手段６０の正面図である。図１８（ｂ）は加圧解除状態（第１及び第２のドア２７Ｆ、２７Ｒを開いた状態）における連結手段の正面図である。
【００６２】
図１８（ａ）に示すように、ドア２７Ｆを開けると、その動作に連動してアーム３０Ｆが引かれ、凸部６０Ｆが引っ張られて、連結手段６０が回動軸６０ｂを中心として回転する。これにより、カム５０は、コの字形状部６０ａ、キー部５０ａを介して回動される。この際、凸部６０Ｒがガイド孔３０Ｒａ内をスライド移動することで、連結手段６０が回転しても、アーム３０Ｒは力を受けず、移動する（ドア２７Ｒを開く）ことはない。
【００６３】
図１８（ａ）の状態よりドア２７Ｆが閉じられると、連結手段６０は戻しバネ４５により、図１７の位置まで回動する。なお、ドア２７Ｒのみが開閉された場合においても、アーム３０Ｒが連結手段６０を回転させることで同様の動きをする。
【００６４】
図１８（ｂ）に示すように、ドア２７Ｆを開いた状態からドア２７Ｒを開けた場合、凸部６０Ｒがガイド孔３０Ｒａ内をスライドし、連結手段６０は力を受けず、回動することはない。
【００６５】
両ドア２７Ｆ、２７Ｒが閉じられると、連結手段６０は、戻しバネ４５により、図１７（ａ）の状態へと回動する。
【符号の説明】
【００６６】
Ｓ    …シート、１    …画像形成装置本体、２    …感光体ドラム、３    …転写ローラ、４    …レーザースキャナ、５    …トナーカートリッジ、６    …シート収納カセット、７    …搬送ローラ、７Ａ  …レジストローラ、８    …定着装置、９    …排出ローラ、１０  …排出部、１１  …定着左側板、１２  …定着右側板、１３  …加圧ローラ、１４  …加熱ユニット、１５  …加熱ヒータ、１６  …定着フィルム、１７  …フィルムガイド、１８  …加圧板金、１９  …加圧バネ、２０  …カム、２１  …カム軸、２２  …支点、２３  …レバー、２３ａ …係合部、２４  …左側板、２５  …連結手段、２５ａ …コの字形状部、２６  …支点、２７Ｆ …カートリッジドア（第１の開閉部材）、２７Ｒ …ジャム処理ドア（第２の開閉部材）、２９  …リンク機構、３０Ｆ、３０Ｒ …ジャム処理ドアアーム、３０Ｆａ、３０Ｒａ …ガイド孔、３２Ｆ、３２Ｒ …リンク、３４Ｆａ、３４Ｒａ …ガイド孔、３５、３６Ｆ、３６Ｒ …軸、４０  …カップリングギア、４０ａ …コの字形状部、４１  …ギア軸、４２  …扇ギア、４２ａ …回動軸、４２ｂ …ギア、４５  …戻しバネ、５０  …カム、５０ａ …キー部、６０  …連結手段、６０Ｆ、６０Ｒ …凸部、６０ａ …コの字形状部、６０ｂ …回動軸
【図１】
2010243851.tif 000003
【図２】
2010243851.tif 000004
【図３】
2010243851.tif 000005
【図４】
2010243851.tif 000006
【図５】
2010243851.tif 000007
【図６】
2010243851.tif 000008
【図７】
2010243851.tif 000009
【図８】
2010243851.tif 000010
【図９】
2010243851.tif 000011
【図１０】
2010243851.tif 000012
【図１１】
2010243851.tif 000013
【図１２】
2010243851.tif 000014
【図１３】
2010243851.tif 000015
【図１４】
2010243851.tif 000016
【図１５】
2010243851.tif 000017
【図１６】
2010243851.tif 000018
【図１７】
2010243851.tif 000019
【図１８】
2010243851.tif 000020